(57)【要約】【課題】バッテリーケースにバッテリーモジュールを固定するための部品点数を削減する。【解決手段】バッテリーパック１０は、ロアケース１２の上面をカバー２４で覆った形態のバッテリーケース１１と、ロアケース１２を構成する金属製のトレイ１４と、トレイ１４の上面に固定した複数のナット１７と、バッテリーケース１１内に収容された複数のバッテリーモジュール２８と、バッテリーモジュール２８に形成された固定片３８Ｆ，３８Ｒと、ボルト４２の締付けによりナット１７に取り付け可能であり、複数のバッテリーモジュール２８に形成された複数の固定片３８Ｆ，３８Ｒに一括して当接することで複数のバッテリーモジュール２８をロアケース１２に固定する締結バー３９とを備えている。【選択図】図１１
2018181748.tif 000002
【特許請求の範囲】
【請求項１】
ロアケースの上面をカバーで覆った形態のバッテリーケースと、
前記ロアケースを構成する金属製のトレイと、
前記トレイの上面に固定した複数の待受側締結部材と、
前記バッテリーケース内に収容された複数のバッテリーモジュールと、
前記バッテリーモジュールに形成された固定片と、
組付側締結部材の締付けにより前記待受側締結部材に取り付け可能であり、複数の前記バッテリーモジュールに形成された複数の前記固定片に一括して当接することで前記複数のバッテリーモジュールを前記ロアケースに固定する固定部材とを備えていることを特徴とするバッテリーパック。
【請求項２】
隣り合う前記バッテリーモジュールの間には、前記隣り合うバッテリーモジュールの双方に形成した複数の前記固定片が配されており、
１つの前記固定部材が、前記隣り合うバッテリーモジュールの間に配された前記複数の固定片に当接していることを特徴とする請求項１記載のバッテリーパック。
【請求項３】
前記隣り合うバッテリーモジュールの間においては、前記隣り合うバッテリーモジュールの前記複数の固定片が一列に並んでおり、
前記１つの固定部材が、前記一列に並ぶ複数の固定片に当接していることを特徴とする請求項２記載のバッテリーパック。
【請求項４】
前記バッテリーモジュールを構成するモジュールケースの平面視形状が略方形であり、
複数の前記固定片が、平面視において前記モールドケースの外周に点対称の位置関係となるように配されていることを特徴とする請求項３記載のバッテリーパック。
【請求項５】
前記固定部材が直線棒状をなしており、
前記固定部材の長さ方向の両端部が、前記ロアケースの互いに対向する内側面に当接していることを特徴とする請求項１ないし請求項４のいずれか１項に記載のバッテリーパック。
【発明の詳細な説明】
【技術分野】
【０００１】
本発明は、バッテリーパックに関するものである。
【背景技術】
【０００２】
特許文献１には、バッテリーケース内に複数のバッテリーモジュールを収容したバッテリーパックが開示されている。バッテリーパックは、車両に搭載されるため、走行中に振動を受けることになる。
【先行技術文献】
【特許文献】
【０００３】
【特許文献１】特開２０１１−１２４１０１号公報
【発明の概要】
【発明が解決しようとする課題】
【０００４】
この種のバッテリーパックにおいて、隣り合うバッテリーモジュールの電極同士をバスバーで接続する場合、隣り合うバッテリーモジュールが走行中の振動によって位置ずれすると、電極やバスバーが変形等を来すことが懸念される。そのため、各バッテリーモジュールをバッテリーケースに固定する必要がある。しかし、バッテリーケース内に収容されるバッテリーモジュールの数が多くなると、バッテリーモジュールを固定するための部品点数が多くなるため、その対策が望まれる。
【０００５】
本発明は上記のような事情に基づいて完成されたものであって、バッテリーケースにバッテリーモジュールを固定するための部品点数を削減することを目的とする。
【課題を解決するための手段】
【０００６】
本発明のバッテリーパックは、
ロアケースの上面をカバーで覆った形態のバッテリーケースと、
前記ロアケースを構成する金属製のトレイと、
前記トレイの上面に固定した複数の待受側締結部材と、
前記バッテリーケース内に収容された複数のバッテリーモジュールと、
前記バッテリーモジュールに形成された固定片と、
組付側締結部材の締付けにより前記待受側締結部材に取り付け可能であり、複数の前記バッテリーモジュールに形成された複数の前記固定片に一括して当接することで前記複数のバッテリーモジュールを前記ロアケースに固定する固定部材とを備えているところに特徴を有する。
【発明の効果】
【０００７】
１つの固定部材によって複数のバッテリーモジュールをロアケースに固定することができるので、１つの固定部材が１つのバッテリーモジュールのみを固定する場合に比べると、部品点数を削減できる。
【図面の簡単な説明】
【０００８】
【図１】実施例１のバッテリーパックの斜視図
【図２】ロアケースにバッテリーモジュールを載置した状態をあらわす斜視図
【図３】バッテリーケースを構成するカバーの斜視図
【図４】ロアケースの斜視図
【図５】冷却器の斜視図
【図６】複数のバッテリーモジュールと複数本の締結バーを上下に分離した状態をあらわす斜視図
【図７】バッテリーモジュールの分解斜視図
【図８】ロアケースに冷却器を載置した状態をあらわす平面図
【図９】図８の部分拡大平面図
【図１０】図９のＸ−Ｘ線断面図
【図１１】複数のバッテリーモジュールと締結バーの位置関係をあらわす平面図
【図１２】締結バーによってロアケースに冷却器とバッテリーモジュールを固定した状態をあらわす図９のＸ−Ｘ相当断面図
【発明を実施するための形態】
【０００９】
本発明は、隣り合う前記バッテリーモジュールの間には、前記隣り合うバッテリーモジュールの双方に形成した複数の前記固定片が配されており、１つの前記固定部材が、前記隣り合うバッテリーモジュールの間に配された前記複数の固定片に当接していてもよい。この構成によれば、固定部材は、その長さ方向に沿って並ぶ複数のバッテリーモジュールの固定片だけでなく、固定部材の長さ方向と交差する方向に隣り合うバッテリーモジュールの固定片にも当接する。したがって、固定部材の長さ方向と交差する方向に隣り合うバッテリーモジュールの固定片に、別々の固定部材が当接する場合に比べると、固定部材の数を削減することができる。
【００１０】
本発明は、前記隣り合うバッテリーモジュールの間においては、前記隣り合うバッテリーモジュールの前記複数の固定片が一列に並んでおり、前記１つの固定部材が、前記一列に並ぶ複数の固定片に当接していてもよい。この構成によれば、隣り合うバッテリーモジュールのうち一方のバッテリーモジュールの固定片と他方のバッテリーモジュールの固定片が一列に並んでいるので、隣り合うバッテリーモジュールの間隔と固定部材の幅寸法を、小さくすることができる。
【００１１】
本発明は、前記バッテリーモジュールを構成するモジュールケースの平面視形状が略方形であり、複数の前記固定片が、平面視において前記モールドケースの外周に点対称の位置関係となるように配されていてもよい。この構成によれば、固定片が形成されているモジュールケースの平面視形状が概ね点対称となるので、モジュールケースを１種類とすることができる。
【００１２】
本発明は、前記固定部材が直線棒状をなしており、前記固定部材の長さ方向の両端部が、前記ロアケースの互いに対向する内側面に当接していてもよい。この構成によれば、固定部材が、ロアケースの対向する内側面の間で突っ張り棒として機能するので、ロアケースの変形を防止することができる。
【００１３】
＜実施例１＞
以下、本発明を具体化した実施例１を図１〜図１２を参照して説明する。尚、以下の説明において、上下の方向については、図１〜７，１０，１２にあらわれる向きを、そのまま上方、下方と定義する。前後の後方については、図１〜７における斜め左下方を前方、斜め右上方を後方と定義する。左右の向きについては、図９，１１における上方を右方、下方を左方と定義する。
【００１４】
本実施例１のバッテリーパック１０は、バッテリーケース１１と、複数のナット１７と、バッテリーケース１１内に収容される複数のバッテリーモジュール２８と、複数本の締結バー３９と、バッテリーケース１１内に収容される複数の冷却器４１と、複数のボルト４２（図１２を参照）とを備えて構成されている。
【００１５】
バッテリーケース１１は、平面視形状が略方形をなす略水平な皿状のロアケース１２（図４を参照）と、ロアケース１２に対しその上面を覆うように組み付けられた合成樹脂製のカバー２４（図３を参照）とを備えている。ロアケース１２の内部空間は、上面が全領域に亘って上方へ開放された形態の浅い収容空間１３となっている。収容空間１３内には、複数の冷却器４１が収容されている。ロアケース１２は、平面視形状が略方形をなす金属製のトレイ１４と、複数のナット１７と、合成樹脂製の被覆層１８とを備えて構成されている。
【００１６】
図１０，１２に示すように、トレイ１４は、水平な略方形の平板状をなすロアプレート１５と、ロアプレート１５とは別体部品である略方形のフレーム１６とからなる。フレーム１６は、内部が中空の角筒材を溶接等により方形に組み付けたものであり、ロアプレート１５の上面外周縁に導通可能に固着されている。ロアプレート１５の材料とフレーム１６の材料は、電食対策のため同一種類の金属である。
【００１７】
ロアプレート１５の上面には、複数のナット１７が、溶接等により軸線を上下方向に向けた状態で固着されている。複数のナット１７は、前後方向（ロアケース１２の左右両側縁部と平行な方向）に所定間隔を空けて複数の列をなすように配置されているとともに、左右方向（ロアケース１２の前後両縁部と平行な方向）に所定間隔を空けて複数の列をなすように配置されている。複数のナット１７の一部は、ロアケース１２の左右両側縁部に沿うように配されている。
【００１８】
被覆層１８は、トレイ１４の外面を全領域に亘って覆い、且つトレイ１４の外面に隙間なく密着している。また、被覆層１８は各ナット１７の外周面も覆っているが、ナット１７の上端面（雌ネジ孔の開口面）は、被覆層１８で覆われずに露出している。被覆層１８の外周縁部１８Ｅは、その全周に亘り、フレーム１６の外周面よりも外方へ水平なフランジ状に張り出している。
【００１９】
被覆層１８は、ブロー成形機（図示省略）によって成形されている。ブロー成形工程では、軟らかく温度の高い合成樹脂からなる筒状のパリソン（図示省略）でトレイ１４を包囲し、そのパリソンを、金型（図示省略）によってトレイ１４と一体化させるとともにトレイ１４の外面に沿った形状に成形する。このようにして成型されたブロー成形部が、トレイ１４及びナット１７と一体化した被覆層１８となる。
【００２０】
被覆層１８のうちフレーム１６で包囲された略方形の水平領域（即ち、ロアプレート１５の上面を覆う領域）は、冷却器４１を載置するための載置面１９として機能する。載置面１９には、上方へ筒状に突出した形態の複数の包囲部２０が一体に形成されている。各包囲部２０は、被覆層１８の一部を構成するものであり、各ナット１７の外周面を個別に覆っている。ナット１７の上端面は包囲部２０の上端面と面一状をなしている。複数の包囲部２０は、前後方向に一定間隔を空けて並ぶように配されているとともに、左右方向に一定間隔を空けて並ぶように配されている。各包囲部２０の外周面は、後述する冷却器４１の左右方向への変位を規制するための規制面２１として機能する。
【００２１】
載置面１９には、前後方向に細長く延びた複数本のリブ２２が突出形成されている。リブ２２も、包囲部２０と同じく被覆層１８の一部を構成する。複数本のリブ２２のうち左右両端に位置する一対のリブ２２は、ロアケース１２（トレイ１４のフレーム１６）の左右両内側面１２Ｓから張り出した形態である。図８に示すように、ロアケース１２の収容空間１３は、複数本のリブ２２と複数の包囲部２０とにより、複数の収容凹部２３に区画されている。各収容凹部２３は前後方向に細長く延びている。そして、複数の収容凹部２３は左右方向に並列するように配されている。
【００２２】
前後に隣り合う包囲部２０の間に配されたリブ２２の前後両端部は、その隣り合う２つの包囲部２０の規制面２１に連なっている。また、ロアケース１２の前側の内面１２Ｆと最前端に位置する包囲部２０との間に配されたリブ２２の前後両端部は、ロアケース１２の前側の内面１２Ｆと最前端の包囲部２０の規制面２１とに連なっている。ロアケース１２の後側の内面１２Ｒと最後端に位置する包囲部２０との間に配されたリブ２２の前後両端部は、ロアケース１２の後側の内面１２Ｒと最後端の包囲部２０の規制面２１とに連なっている。
【００２３】
リブ２２の幅寸法は包囲部２０の直径より小さい寸法なので、規制面２１の左右側面領域は、リブ２２の側面から左右方向へ円弧状に突出している。左右に隣り合う規制面２１間の最小間隔は、冷却器４１の幅寸法と概ね同じ寸法である。詳細には、左右方向に隣り合う規制面２１の最小間隔は、冷却器４１の幅寸法と同じ寸法か、冷却器４１の幅寸法より僅かに大きい寸法か、冷却器４１の幅寸法より僅かに小さい寸法のいずれかに設定されている。
【００２４】
カバー２４は、合成樹脂材料からなり、水平な上壁部２５と、上壁部２５の外周縁から全周に亘って下方へ延出した周壁部２６と、周壁部２６の下端縁から全周に亘って外方へ水平に張り出したフランジ部２７とを備えた単一部品である。カバー２４は、そのフランジ部２７を被覆層１８の外周縁部１８Ｅの上面に面当たり状態で積層するようにして、ロアケース１２に取り付けられている。カバー２４のフランジ部２７の下面と被覆層１８の外周縁部１８Ｅの上面とが接触する領域は、溶着、ガスケット、シール部材等のシール手段（図示省略）により液密状にシールされた状態となっている。尚、シール手段は、インサート等によってカバー２４のフランジ部２７と一体化させてもよい。
【００２５】
ロアケース１２の上面に形成された各収容凹部２３内には、夫々、冷却器４１が収容されている。冷却器４１は、前後方向に細長く且つ上下寸法の小さい偏平な板状をなす。冷却器４１の前後寸法は、ロアケース１２の前側の内面１２Ｆと後側の内面１２Ｒとの間隔よりも少し小さい寸法である。冷却器４１の内部には、バッテリーで発生した熱をバッテリーパック１０（バッテリーケース１１）の外部へ排出するための冷却液（図示省略）が前後方向に流動するようになっている。冷却器４１は、熱伝導率の高い材料（例えば、アルミニウム、アルミニウム合金など）からなる。
【００２６】
図７に示すように、１つのバッテリーモジュール２８は、前後方向に積層した複数のバッテリーセル２９と、複数のバッテリーセル２９を収容するモジュールケース３３とを備えている。バッテリーモジュール２８の平面視形状は略方形である。バッテリーセル２９は、前後方向の寸法が、高さ寸法（上下寸法）及び幅寸法（左右寸法）に比べて小さい厚板状をなす。図１１に示すように、各バッテリーセル２９の上端面には（＋）電極３０と（−）電極３１が設けられており、複数のバッテリーセル２９は、（＋）電極３０と（−）電極３１を繋ぐバスバー３２によって直列接続されている。
【００２７】
モジュールケース３３は、上面に複数の位置決め溝３５が並列して形成された概ね水平板状をなす底板部材３４と、底板部材３４の外周縁に取り付けたケース本体３６とを備えて構成されている。底板部材３４は、金属板の外周に合成樹脂製の枠部材を組み付けたものでもよく、全体が金属製のものでもよく、全体が合成樹脂製のものでもよい。ケース本体３６は、全体が合成樹脂製のものでもよく、全体が金属製のものでもよく、金属部材と合成樹脂部材を組み付けたものでもよい。
【００２８】
モジュールケース３３の内部には、複数のバッテリーセル２９が位置決め溝３５に嵌合して位置決めされた状態で収容されている。ケース本体３６の上面の開口縁部のうち前後方向に沿った左右両側縁部には、バッテリーセル２９の浮き上がりを抑えるための板状の押え部３７が形成されている。バッテリーセル２９の上端面のうち左右両端部を除いた大部分の領域と、（＋）電極３０及び（−）電極３１は、ケース本体３６の上面の開口領域においてモジュールケース３３の外部（上方）に露出している。
【００２９】
ケース本体３６の前端部下端縁には、側面視形状が略Ｌ字形をなす一対の前側脚部が、左右に間隔を空けて形成されている。各前側脚部の下端部は、底板部材３４の前面よりも前方へ水平に突出した形態の前側固定片３８Ｆとなっている。一対の前側固定片３８Ｆのうち右側の前側固定片３８Ｆは、バッテリーモジュール２８の前端縁部における右端部に配されている。一対の前側固定片３８Ｆのうち左側の前側固定片３８Ｆは、バッテリーモジュール２８の前端縁部における左右方向中央よりも少し左側の位置に配されている。
【００３０】
ケース本体３６の後端部下端縁には、側面視形状が略Ｌ字形をなす一対の後側脚部が、左右に間隔を空けて形成されている。各後側脚部の下端部は、底板部材３４の後面よりも後方へ水平に突出した形態の後側固定片３８Ｒとなっている。一対の後側固定片３８Ｒのうち左側の後側固定片３８Ｒは、バッテリーモジュール２８の後端縁部における左端部に配されている。一対の後側固定片３８Ｒのうち右側の後側固定片３８Ｒは、バッテリーモジュール２８の後端縁部における左右方向中央よりも少し右側の位置に配されている。
【００３１】
上記のように１つのモジュールケース３３には、左右一対の前側固定片３８Ｆと左右一対の後側固定片３８Ｒが形成されている。一対の前側固定片３８Ｆがバッテリーモジュール２８の左右方向中央よりも右側へ片寄った配置となっているのに対し、一対の後側固定片３８Ｒは、前側固定片３８Ｆとは逆に、バッテリーモジュール２８の左右方向中央よりも左側へ片寄った配置となっている。つまり、一対の前側固定片３８Ｆと一対の後側固定片３８Ｒは、平面視において、点対称な配置となっている。
【００３２】
また、一対の前側固定片３８Ｆの左右間隔は１つの後側固定片３８Ｒの左右寸法より少し大きい寸法に設定されている。一対の後側固定片３８Ｒの左右間隔は１つの前側固定片３８Ｆの左右寸法より少し大きい寸法に設定されている。したがって、２つのバッテリーモジュール２８を前後に隣り合うように配置すると、両バッテリーモジュール２８の間の空間では、前側のバッテリーモジュール２８に設けた一対の後側固定片３８Ｒと、後側のバッテリーモジュール２８に設けた一対の前側固定片３８Ｆとが、互いに干渉することなく、左右方向に交互に且つ一列に並ぶように配される。
【００３３】
バッテリーパック１０を組み付ける際には、ロアケース１２の上面に形成されている複数の収容凹部２３に、夫々、冷却器４１を収容し、その後、バッテリーモジュール２８をロアケース１２にセットする。このとき、各冷却器４１の上面を、前後方向に間隔を空けて並べた複数（本実施例１では４つ）のバッテリーモジュール２８で覆うようにする。バッテリーモジュール２８は冷却器４１の上面に面当たり状態で載置される。
【００３４】
また、前側のバッテリーモジュール２８と後側のバッテリーモジュール２８との間では、一対の前側固定片３８Ｆと一対の後側固定片３８Ｒが左右に並ぶように配置する。最前端のバッテリーモジュール２８の前方には一対の前側固定片３８Ｆのみが配され、最後端のバッテリーモジュール２８の後方には一対の後側固定片３８Ｒのみが配される。また、左右に隣り合うバッテリーモジュール２８は、殆ど隙間を空けずに接近した状態、又は互いに当接した状態となっている。
【００３５】
ロアケース１２に載置した冷却器４１とバッテリーモジュール２８は、複数本の締結バー３９を用いてロアケース１２に固定する。締結バー３９は、金属製であり、左右方向に細長い形状をなす。締結バー３９には、上下方向に貫通する複数の貫通孔４０が形成されている。隣り合う貫通孔４０のピッチは、左右に隣り合うナット１７のピッチと同じ寸法である。
【００３６】
締結バー３９は、前後に隣り合う２つのバッテリーモジュール２８の間の隙間に落とし込むように収容される。収容した締結バー３９は、一対の前側固定片３８Ｆの上面と一対の後側固定片３８Ｒの上面に対し面当たり状態で載置される。この後、貫通孔４０をナット１７に対し同軸状に位置合わせし、締結バー３９の上方からボルト４２を貫通孔４０に挿入してナット１７にねじ込む。同様に、最前端に位置するバッテリーモジュール２８の前側固定片３８Ｆの上面と、最後端に位置するバッテリーモジュール２８の後側固定片３８Ｒの上面にも、締結バー３９を載置し、貫通孔４０に挿入したボルト４２をナット１７にねじ込む。
【００３７】
ボルト４２を締め付けると、締結バー３９を介して前側固定片３８Ｆと後側固定片３８Ｒが下方へ押圧されることで、バッテリーモジュール２８が冷却器４１の上面に押し付けられ、締結バー３９がナット１７を介してロアケース１２に固定される。冷却器４１の上面はバッテリーモジュール２８で覆われる。そして、全ての締結バー３９がロアケース１２に固定されると、全てのバッテリーモジュール２８と全ての冷却器４１が、載置面１９と締結バー３９の下面との間で上下に挟み付けられた状態で、ロアケース１２に固定される。
【００３８】
複数のバッテリーモジュール２８をロアケース１２に固定した後、バッテリーモジュール２８を上から覆い隠すようにカバー２４を被せ、被せたカバー２４を溶着等によってロアケース１２に固定する。これにより、バッテリーケース１１が構成されるとともに、バッテリーケース１１内に複数のバッテリーモジュール２８と複数の冷却器４１が固定された状態で収容される。以上により、バッテリーパック１０の組付けが完了する。
【００３９】
本実施例のバッテリーパック１０は、バッテリーケース１１にバッテリーモジュール２８を固定するための部品点数の削減を図ることができるものである。このバッテリーパック１０は、ロアケース１２の上面をカバー２４で覆った形態のバッテリーケース１１と、ロアケース１２を構成する金属製のトレイ１４とを備えている。トレイ１４の上面には複数本のナット１７が固定されている。バッテリーケース１１内には複数のバッテリーモジュール２８が収容され、バッテリーモジュール２８には前側固定片３８Ｆと後側固定片３８Ｒが形成されている。
【００４０】
締結バー３９は、ボルト４２の締付けによってナット１７に取り付けられる。締結バー３９は、左右方向（前側固定片３８Ｆと後側固定片３８Ｒの突出方向と交差する方向）に並ぶ複数のバッテリーモジュール２８に形成された複数の前側固定片３８Ｆと後側固定片３８Ｒに対し、一括して当接する。これにより、複数のバッテリーモジュール２８がロアケース１２に固定される。１つの締結バー３９によって複数のバッテリーモジュール２８をロアケース１２に固定することができるので、１つの締結バー３９が１つのバッテリーモジュール２８のみを固定する場合に比べると、部品点数を削減できる。
【００４１】
前後方向に隣り合うバッテリーモジュール２８の間には、隣り合うバッテリーモジュール２８の双方に形成した複数の前側固定片３８Ｆと後側固定片３８Ｒが配されており、１つの締結バー３９が、隣り合うバッテリーモジュール２８の間に配された複数の前側固定片３８Ｆと後側固定片３８Ｒに当接している。
【００４２】
締結バー３９は、その長さ方向に沿って並ぶ複数のバッテリーモジュール２８の固定片３８Ｆ，３８Ｒだけでなく、締結バー３９の長さ方向と交差する前後方向に隣り合うバッテリーモジュール２８の固定片３８Ｆ，３８Ｒにも当接する。したがって、締結バー３９の長さ方向と交差する方向に隣り合うバッテリーモジュール２８の固定片に、別々の締結バー３９が当接する場合に比べると、締結バー３９の数を削減することができる。
【００４３】
前後に隣り合うバッテリーモジュール２８の間においては、その隣り合うバッテリーモジュール２８のうち、前側に位置するバッテリーモジュール２８の後側固定片３８Ｒと後側に位置するバッテリーモジュール２８の前側固定片３８Ｆが一列に並んでいる。この一列に並ぶ前側固定片３８Ｆと後側固定片３８Ｒに、１本の締結バー３９が当接している。この構成によれば、前側固定片３８Ｆと後側固定片３８Ｒに２本の締結部材が別々に当接する場合に比べると、前後に隣り合うバッテリーモジュール２８の間隔と締結バー３９の幅寸法を、小さくすることができる。
【００４４】
また、バッテリーモジュール２８を構成するモジュールケース３３の平面視形状は略方形をなしており、複数の前側固定片３８Ｆと複数の後側固定片３８Ｒが、平面視においてモールドケースの外周に点対称の位置関係となるように配されている。この構成によれば、固定片３８Ｆ，３８Ｒが形成されているモジュールケース３３の平面視形状が概ね点対称となるので、モジュールケース３３を１種類とすることができる。
【００４５】
また、締結バー３９が直線棒状をなしており、締結バー３９の長さ方向の両端部が、ロアケース１２の互いに対向する左右両内側面１２Ｓに当接している。この構成によれば、締結バー３９が、ロアケース１２の対向する内側面１２Ｓの間で突っ張り棒として機能するので、ロアケース１２の側縁部が左右方向内側へ傾くように変形することを防止できる。
【００４６】
また、本実施例のバッテリーケース１１は、バッテリーケース１１の形状を複雑にすることなく、冷却器４１をバッテリーケース１１に固定するものである。バッテリーケース１１は、冷却器４１を載置可能な載置面１９を有するロアケース１２を有する。載置面１９には、載置面１９から突出した形態であり、バッテリーモジュール２８をロアケース１２に固定するためのナット１７を包囲する包囲部２０が形成されている。包囲部２０の外面には、冷却器４１が載置面１９と平行に変位することを規制する規制面２１が形成されている。
【００４７】
包囲部２０は、ナット１７を包囲することで、冷却器４１が金属製のナット１７と直接干渉しないようにするための保護機能と、冷却器４１をロアケース１２に位置決めするための位置決め機能とを兼ね備えている。したがって、包囲部２０とは別に、冷却器４１をロアケース１２に位置決めするための専用の位置決め手段を設ける場合に比べると、ロアケース１２の形状や構造を簡素化することができる。
【００４８】
また、複数の包囲部２０は、冷却器４１の長さ方向（前後方向）に沿って間隔を空けて配されている。そして、載置面１９には、複数の包囲部２０の並び方向に沿って延びた形態であり、隣り合う包囲部２０の間に配されたリブ２２が設けられている。この構成によれば、冷却器４１を載置面１９に載置する際に、リブ２２を目印にして冷却器４１を所定の位置に配置することができる。
【００４９】
また、載置面１９は合成樹脂材料からなっており、リブ２２は載置面１９に一体に形成されている。リブ２２を載置面１９に一体に形成したことによって、載置面１９の形成母体（被覆層１８）の面剛性が向上するので、ロアケース１２の変形を抑制する効果が期待できる。また、リブ２２の長さ方向の両端部のうち少なくとも一方の端部が、包囲部２０に連なっているので、包囲部２０の変形等を、リブ２２の補強機能によって防止することができる。
【００５０】
また、冷却器４１は、載置面１９とバッテリーモジュール２８の底面との間で上下に挟み付けられることで、載置面１９からの浮き上がりを規制されている。この構成によれば、冷却器４１が載置面１９から浮き上がるのを規制するための専用の規制手段を設ける必要がないので、バッテリーケース１１の構成を簡素化することができる。
【００５１】
＜他の実施例＞
本発明は上記記述及び図面によって説明した実施例に限定されるものではなく、例えば次のような実施例も本発明の技術的範囲に含まれる。
（１）上記実施例では、待受側締結部材がナットであり、組付側締結部材がボルトであるが、待受側締結部材をボルトとし、組付側締結部材をナットとしてもよい。
（２）上記実施例では、トレイの表面とナット（待受側締結部材）の外周面を合成樹脂製の被覆層で覆ったが、ロアケースは、被覆層を設けずに、金属製のトレイの表面とナットの外周面を露出させたものでもよい。
（３）上記実施例では、隣り合うバッテリーモジュールの前が固定片と後側固定片が、左右方向に位置ずれした位置関係としているが、隣り合うバッテリーモジュールの前側固定片と後側固定片は、左右方向において同じ位置に配されていてもよい。
（４）上記実施例では、１つのバッテリーモジュールに設けた前側固定片と後側固定片が、平面視において点対称であり、且つ左右方向において位置ずれした位置関係であるが、１つのバッテリーモジュールに設けた前側固定片と後側固定片は、平面視において非点対称な位置関係であってもよい。
（５）上記実施例では、バッテリーモジュールの前端縁と後端縁のみに固定片を設けたが、固定片は、バッテリーモジュールの前後両端縁に加えて、左右両側縁にも設けてもよい。
（６）上記実施例では、バッテリーモジュールの前端縁と後端縁に、夫々、前側固定片と後側固定片を２辺ずつ設けたが、バッテリーモジュールの前端縁と後端縁に形成する前側固定片と後側固定片の数は、１片でもよく、３片以上でもよい。
（７）上記実施例では、バッテリーモジュールの前端縁に設けた前側固定片と後端縁に設けた後側固定片の数が同じ数であるが、バッテリーモジュールの前端縁に設ける前側固定片の数と後端縁に設ける後側固定片の数は、異なっていてもよい。
（８）上記実施例では、固定部材を直線状の締結バーとしたが、固定部材は、Ｌ字形の棒状部材や方形の枠状部材等であってもよい。
（９）上記実施例では、締結バーの左右両端面がロアケースの左右両内側面に当接しているが、締結バーの左右両端面は、ロアケースの左右両内側面に当接しない形態であってもよい。
（１０）上記実施例では、１つの固定部材（締結バー）が、その長さ方向と交差する前後方向に隣り合うバッテリーモジュールの前側固定片と後側固定片の両方に当接するが、固定部材（締結バー）の長さ方向と交差する方向に隣り合うバッテリーモジュールの前側固定片と後が固定片に、別々の固定部材が当接するようにしてもよい。
【符号の説明】
【００５２】
１０…バッテリーパック
１１…バッテリーケース
１２…ロアケース
１２Ｓ…ロアケースの内側面
１４…トレイ
１７…ナット（待受側締結部材）
２４…カバー
２８…バッテリーモジュール
３３…モジュールケース
３８Ｆ…前側固定片（固定片）
３８Ｒ…後側固定片（固定片）
３９…締結バー（固定部材）
４２…ボルト（組付側締結部材）
【図１】
2018181748.tif 000003
【図２】
2018181748.tif 000004
【図３】
2018181748.tif 000005
【図４】
2018181748.tif 000006
【図５】
2018181748.tif 000007
【図６】
2018181748.tif 000008
【図７】
2018181748.tif 000009
【図８】
2018181748.tif 000010
【図９】
2018181748.tif 000011
【図１０】
2018181748.tif 000012
【図１１】
2018181748.tif 000013
【図１２】
2018181748.tif 000014